(57)【要約】【課題】  カメラで撮影された撮影画像をメニュー画面のアイコン画像として容易に利用できるカメラ付携帯通信端末を提供することを目的とする。【解決手段】  予め定められたピクセルサイズの静止画からなる２以上のアイコン画像を保持するアイコン画像記憶部３２と、ユーザが選択可能な２以上の選択肢及びこれらの選択肢の上記アイコン画像へのリンク情報を保持するメニュー情報記憶部３１と、２以上のアイコン画像からなるメニュー画面を生成するメニュー処理部５０と、静止画を撮影し、撮影画像を出力するカメラ１３と、上記撮影画像をアイコン画像記憶部３２へ格納する撮影処理部４０とを備え、撮影処理部４０が、上記撮影画像をトリミングし、上記ピクセルサイズからなるトリミング画像に変換する画像トリミング部４１と、シャッター操作に基づいて、上記トリミング画像をアイコン画像記憶部３２へ格納する画像書込部４３とを有する。【選択図】  図３
2006135407.tif 000002
【特許請求の範囲】
【請求項１】
予め定められたピクセルサイズの静止画からなる２以上のアイコン画像を保持するアイコン画像記憶手段と、
ユーザが選択可能な２以上の選択肢及びこれらの選択肢の上記アイコン画像へのリンク情報を保持するメニュー情報記憶手段と、
上記メニュー情報記憶手段及びアイコン画像記憶手段に基づいて、２以上のアイコン画像からなるメニュー画面を生成するメニュー処理手段と、
静止画を撮影し、撮影画像を出力する電子スチルカメラと、
上記撮影画像を上記アイコン画像記憶手段へ格納する撮影処理手段とを備え、
上記撮影処理手段が、上記撮影画像をトリミングし、上記ピクセルサイズからなるトリミング画像に変換する画像トリミング手段と、
シャッター操作に基づいて、上記トリミング画像を上記アイコン画像記憶手段へ格納する画像書込手段とを有することを特徴とするカメラ付携帯通信端末。
【請求項２】
上記電子スチルカメラは、シャッター操作可能な撮影モードにおいて、撮影動作を繰り返し、
上記撮影処理手段は、上記撮影モード中、上記トリミング画像に基づいてファインダー画面を生成することを特徴とする請求項１に記載のカメラ付携帯通信端末。
【請求項３】
上記撮影処理手段は、上記撮影モード中、上記トリミング画像を整数倍のピクセルサイズに引き伸ばして引伸トリミング画像を生成し、当該引伸トリミング画像を含むファインダー画面を生成することを特徴とする請求項２に記載のカメラ付携帯通信端末。
【請求項４】
上記撮影処理手段は、シャッター操作後に、上記トリミング画像を含む保存確認画面を表示する確認画面生成手段を有し、
上記画像書込手段は、ユーザの確認操作に基づいて、上記トリミング画像を上記アイコン画像記憶手段へ格納することを特徴とする請求項２に記載のカメラ付携帯通信端末。
【請求項５】
フォーカス画像を保持するフォーカス画像記憶手段を備え、
上記メニュー処理手段は、メニュー画面上でフォーカスが当てられている選択肢について、上記アイコン画像に上記フォーカス画像を合成した選択アイコン画像を生成する選択アイコン生成手段と、
フォーカスが当てられている選択肢には上記選択アイコン画像を用い、他の選択肢には上記アイコン画像を用いて、メニュー画面を生成するメニュー画面生成手段を有し、
上記撮影処理手段は、上記トリミング画像に上記フォーカス画像を合成する選択アイコン化処理手段を有することを特徴とする請求項１に記載のカメラ付携帯通信端末。
【請求項６】
上記フォーカス画像記憶手段は、上記フォーカス画像として、複数枚のフレーム画像により構成される動画を保持し、
上記選択アイコン生成手段は、上記アイコン画像に対し、上記フォーカス画像を構成する各フレーム画像をそれぞれ合成し、上記選択アイコン画像として、複数枚のフレーム画像からなる動画を生成することを特徴とする請求項５に記載のカメラ付携帯通信端末。
【請求項７】
上記選択アイコン化処理手段は、上記トリミング画像に対し、上記フォーカス画像を構成する各フレーム画像をそれぞれ合成し、複数枚のフレーム画像からなる動画を生成することを特徴とする請求項６に記載のカメラ付携帯通信端末。
【発明の詳細な説明】
【技術分野】
【０００１】
本発明は、カメラ付携帯通信端末に係り、更に詳しくは、２以上のアイコン画像からなるメニュー画面を表示することができ、当該アイコン画像として、電子スチルカメラにより撮影された画像を利用することができるカメラ付携帯通信端末に関する。
【背景技術】
【０００２】
最近の携帯電話機は、多機能化が進み、通話機能のみならず、電話帳、電子メール、ＷＥＢブラウザ、計算機、カメラ、スケジュール管理などの機能も搭載されている。このため、ほとんどの携帯電話機が、機能選択のためのメニュー画面を表示し、ユーザに所望の機能を選択させている。
【０００３】
一般に、携帯電話機のディスプレイは、他の情報処理装置のディスプレイに比べて狭く解像度も低い。このようなディスプレイ上に表示されるメニュー画面は、より多くの選択肢を同時に表示させ、また、直感的にわかり易く表示するために、各選択肢をアイコン画像として表示している。この様なメニュー画面では、通常、いずれか一つのアイコン画像にフォーカスが当てられており、ユーザは、方向キーを操作して、当該フォーカスを所望のアイコン画像に移動させ、決定キーを操作すれば、所望の選択肢を選択することができる。
【０００４】
また、この様なアイコン画像をユーザがカスタマイズできる携帯電話機が従来から提案されている（例えば、特許文献１）。特許文献１に記載された携帯電話機では、ユーザが、メニュー画面を構成する各選択肢と、予め用意されているアイコン画像との対応関係を自由に変更することができる。
【０００５】
さらに、任意の画像データを上記アイコン画像として利用することができる携帯電話機もあった。すなわち、携帯電話機に搭載されたカメラで撮影された画像データや、ＷＥＢサーバからダウンロードした画像データや、電子メールの添付ファイルとして入手した画像データをアイコン画像として利用可能な携帯電話機があった。
【特許文献１】特開平１１−１７７８９号公報（図３）
【発明の開示】
【発明が解決しようとする課題】
【０００６】
メニュー画面に表示されるアイコン画像は、そのピクセルサイズが予め定められている。従って、任意の画像データをアイコン画像として採用する場合、当該画像データのピクセルサイズをアイコン画像のピクセルサイズに変換しなければならない。つまり、ユーザが、画像編集アプリケーション上で、画像データのトリミングや、拡大縮小などを予め行っておかなければならず、煩雑な作業を伴うという問題があった。
【０００７】
また、ピクセルサイズの変更には、通常、画像データの拡大処理又は縮小処理が必要となるが、これらの処理は画像品質を劣化させ、アイコン画像を読み取り難くしてしまう。特に、携帯電話機のアイコン画像はピクセル数が少なく、縮小処理を行わなければならない場合が多いと考えられる。ところが、縮小処理を行った場合、ピクセル数の減少に伴って、細い線などの細かな描写が消失して不鮮明な画像となり、識別しにくいアイコン画像になってしまう場合が多い。特に、カメラ撮影された画像データではこのような傾向が顕著であり、縮小処理によって被写体が判別できなくなる場合も少なくない。
【０００８】
さらに、任意の画像データをアイコン画像にした場合、フォーカスとの相性が悪くなるという場合があった。例えば、フォーカスがアイコン画像の周辺部に表示される白色の枠であった場合、アイコン画像として周辺部が白い画像データを使用すれば、フォーカスが当たっている状態と、当たっていない状態とを判別しにくく、フォーカスの位置が判別できなくなるという問題があった。
【０００９】
本発明は、上記の事情に鑑みてなされたものであり、内蔵カメラで撮影された撮影画像をメニュー画面のアイコン画像として容易に利用できるカメラ付携帯通信端末を提供することを目的とする。また、内蔵カメラを用いて、ユーザが思い通りのアイコン画像を撮影することができるカメラ付携帯通信端末を提供することを目的とする。さらに、フォーカスとの相性を考慮してカメラ撮影を行なうことができるカメラ付携帯通信端末を提供することを目的とする。
【課題を解決するための手段】
【００１０】
第１の本発明によるカメラ付携帯通信端末は、予め定められたピクセルサイズの静止画からなる２以上のアイコン画像を保持するアイコン画像記憶手段と、ユーザが選択可能な２以上の選択肢及びこれらの選択肢の上記アイコン画像へのリンク情報を保持するメニュー情報記憶手段と、上記メニュー情報記憶手段及びアイコン画像記憶手段に基づいて、２以上のアイコン画像からなるメニュー画面を生成するメニュー処理手段と、静止画を撮影し、撮影画像を出力する電子スチルカメラと、上記撮影画像を上記アイコン画像記憶手段へ格納する撮影処理手段とを備え、上記撮影処理手段が、上記撮影画像をトリミングし、上記ピクセルサイズからなるトリミング画像に変換する画像トリミング手段と、シャッター操作に基づいて、上記トリミング画像を上記アイコン画像記憶手段へ格納する画像書込手段とを有する。
【００１１】
この様な構成により、メニュー画面に選択肢として表示されるアイコン画像を電子スチルカメラにより撮影する際、撮影画像に対してトリミングが行われて、アイコン画像のピクセルサイズに一致するトリミング画像が、アイコン画像記憶手段へ格納される。このため、電子スチルカメラによって撮影された撮影画像のピクセルサイズをユーザがあらためて調整しなくても、アイコン画像として利用することができる。
【００１２】
第２の本発明によるカメラ付携帯通信端末は、上記構成に加えて、上記電子スチルカメラが、シャッター操作可能な撮影モードにおいて、撮影動作を繰り返し、上記撮影処理手段が、上記撮影モード中、上記トリミング画像に基づいてファインダー画面を生成するように構成される。
【００１３】
この様な構成により、撮影画像をアイコン画像のピクセルサイズからなるトリミング画像に変換し、当該トリミングしたトリミング画像に基づいてファインダー画面を生成しているので、ファインダー画面上の表示画像を撮影によって得られるアイコン画像に一致させることができる。
【００１４】
第３の本発明によるカメラ付携帯通信端末は、上記構成に加えて、上記撮影処理手段が、上記撮影モード中、上記トリミング画像を整数倍のピクセルサイズに引き伸ばして引伸トリミング画像を生成し、当該引伸トリミング画像を含むファインダー画面を生成するように構成される。この様な構成により、ファインダー画面上の表示画像と、撮影によって得られるアイコン画像の情報量を完全に一致させつつ、ファインダー画面を見やすくすることができる。
【００１５】
第４の本発明によるカメラ付携帯通信端末は、上記構成に加えて、上記撮影処理手段が、シャッター操作後に、上記トリミング画像を含む保存確認画面を表示する確認画面生成手段を有し、上記画像書込手段が、ユーザの確認操作に基づいて、上記トリミング画像を上記アイコン画像記憶手段へ格納するように構成される。
【００１６】
このような構成により、シャッター操作後に保存確認画面上にトリミング画像が表示され、ユーザは、アイコン画像としてメニュー画面内に表示される場合と全く同じ条件で当該トリミング画像を確認することができる。
【００１７】
第５の本発明によるカメラ付携帯通信端末は、上記構成に加えて、フォーカス画像を保持するフォーカス画像記憶手段を備え、上記メニュー処理手段が、メニュー画面上でフォーカスが当てられている選択肢について、上記アイコン画像に上記フォーカス画像を合成した選択アイコン画像を生成する選択アイコン生成手段と、フォーカスが当てられている選択肢には上記選択アイコン画像を用い、他の選択肢には上記アイコン画像を用いて、メニュー画面を生成するメニュー画面生成手段を有し、上記撮影処理手段が、上記トリミング画像に上記フォーカス画像を合成する選択アイコン化処理手段を有するように構成される。
【００１８】
このような構成により、トリミング画像にフォーカス画像を合成し、当該トリミング画像をアイコン画像とする選択アイコン画像をファインダー画面上で確認して、撮影を行うことができる。ユーザは、ファインダー画面を見て、フォーカス画像との相性等を確認しながら、アイコン画像の撮影を行うことができる。
【００１９】
第６の本発明によるカメラ付携帯通信端末は、上記構成に加えて、上記フォーカス画像記憶手段が、上記フォーカス画像として、複数枚のフレーム画像により構成される動画を保持し、上記選択アイコン生成手段が、上記アイコン画像に対し、上記フォーカス画像を構成する各フレーム画像をそれぞれ合成し、上記選択アイコン画像として、複数枚のフレーム画像からなる動画を生成するように構成される。
【００２０】
第７の本発明によるカメラ付携帯通信端末は、上記構成に加えて、上記選択アイコン化処理手段が、上記トリミング画像に対し、上記フォーカス画像を構成する各フレーム画像をそれぞれ合成し、複数枚のフレーム画像からなる動画を生成するように構成される。
【発明の効果】
【００２１】
本発明によれば、内蔵カメラで撮影された撮影画像をメニュー画面のアイコン画像として容易に利用できるカメラ付携帯通信端末を提供することができる。また、内蔵カメラを用いて、ユーザが思い通りのアイコン画像を撮影することができるカメラ付携帯通信端末を提供することができる。また、フォーカスとの相性を考慮してカメラ撮影を行なうことができるカメラ付携帯通信端末を提供することができる。
【発明を実施するための最良の形態】
【００２２】
実施の形態１．
図１は、本発明の実施の形態１による携帯通信端末の一例を示した外観図であり、携帯電話機が示されている。この携帯電話機は、ユーザに対向する操作面上に、ディスプレイ１１と、多数の操作キー１２と、通話用レシーバ１５と、通話用マイクロフォン１６が設けられている。また、上記操作面とは反対側の面に、内蔵カメラ１３及びフラッシュライト１４が設けられている。
【００２３】
ユーザは、液晶表示装置（ＬＣＤ）からなるディスプレイ１１を閲覧しながら、操作キー１２を用いて操作入力を行うことができる。この操作キー１２には、ダイヤル操作に用いられるテンキーだけでなく、上下左右の４方向が入力可能な方向キーや、決定キーや、カメラ撮影時に使用されるシャッターキーなども含まれている。また、内蔵カメラ１３は、静止画を撮影し、デジタルデータからなる撮影画像を生成する電子スチルカメラであり、撮像デバイスにはＣＣＤ又はＣＭＯＳイメージセンサが用いられる。フラッシュライト１４は、露出不足の撮影時に点灯させる露出調整用の発光手段であり、発光ダイオードが用いられる。
【００２４】
ユーザが機能選択を行う場合、ディスプレイ１１にはメニュー画面が表示される。ユーザは、このメニュー画面を見ながら方向キーを操作し、フォーカスを所望の選択肢まで移動させて決定キーを操作すれば、所望の機能を選択して実行させることができる。また、シャッター操作が可能な撮影モードでは、ディスプレイ１１にファインダー画面が表示される。このファインダー画面は、内蔵カメラ１３によりモニター撮影された撮影画像がリアルタイム表示される画面であり、ユーザは、このファインダー画面を見ながら、シャッターキーを操作して撮影を行う。
【００２５】
図２は、図１の携帯電話機内部の一構成例を示したブロック図である。主制御部２０は、携帯電話機の主要な制御を行っているプロセッサやメモリからなる。無線部２１は、アンテナを介してセルラー無線基地局（不図示）との間で無線通信を行っている。表示制御部２２は、主制御部２０からの画面データに基づいて、ディスプレイ１１の駆動制御を行うＬＣＤコントローラである。音声制御部２３は、通話音声の入出力制御を行っており、受話音を通話用レシーバ１５へ出力するとともに、通話用マイクロフォン１６から送話音が入力される。
【００２６】
ユーザがキー操作を行うと、操作キー１２から主制御部２０へキー操作信号が出力される。主制御部２０は、このキー操作信号に基づいて、メニュー画面表示やカメラ撮影の動作制御を行っている。内蔵カメラ１３は、主制御部２０からの制御信号に基づいて撮影を行って、主制御部２０へ撮影画像を出力する。
【００２７】
携帯電話機の動作モードが、機能選択を行うメニュー表示モードの場合、主制御部２０がメニュー画面を生成し、このメニュー画面がディスプレイ１１に表示される。このとき、方向キーの操作信号が入力されると、主制御部２０がフォーカス移動させたメニュー画面を生成する。また、決定キーの操作信号が入力されると、主制御部２０はメニュー画面の表示を終了して、選択された機能を実行する。
【００２８】
一方、携帯電話機の動作モードが、シャッター操作が可能な撮影モードであれば、主制御部２０がモニター撮影信号を出力する。内蔵カメラ１３は、このモニター撮影信号に基づいて、一定周期で繰り返しモニター撮影を行って、撮影画像を周期的に出力する。撮影モード中の主制御部２０は、この撮影画像からファインダー画面を生成し、ディスプレイ１１に表示させる。その後に、ユーザがシャッター操作を行えば、主制御部２０から内蔵カメラ１３へ撮影信号が出力される。主制御部２０は、このとき内蔵カメラ１３から出力される撮影画像をメモリに格納する。
【００２９】
図３は、図２の主制御部２０の要部について一構成例を示したブロック図である。上述したとおり、主制御部２０はプロセッサからなり、図示した各ブロックは、当該プロセッサによって実行されるソフトウエアとして実現される。この主制御部２０は、不揮発性メモリ３０、撮影処理部４０及びメニュー処理部５０により構成される。
【００３０】
不揮発性メモリ３０は、データ保持に電源供給を必要としない記憶手段、例えばフラッシュメモリが使用される。この不揮発性メモリ３０には、メニュー情報記憶部３１と、アイコン画像記憶部３２と、背景画像記憶部３３が含まれている。
【００３１】
アイコン画像記憶部３２は、２以上のアイコン画像を保持している。このアイコン画像記憶部３２には、アイコン画像として、少なくとも工場出荷時にデフォルト・アイコン画像が予め格納されており、さらに、ユーザが作成した任意の画像データをアイコン画像として追加することができる。なお、各アイコン画像は、それぞれ１つのデータファイルからなり、データフォーマットには、ＪＰＥＧ、ＧＩＦ、ＢＭＰなどの静止画フォーマットだけでなく、アニメーションＧＩＦなどの動作フォーマットを用いることができる。つまり、アイコン画像として動画を採用することもできる。
【００３２】
背景画像記憶部３３には、１又は２以上の背景画像が保持されている。背景画像とは、待ち受け画面やメニュー画面中のアイコンが配置されていない領域に表示される画像（いわゆる壁紙）であり、少なくとも工場出荷時にデフォルト背景画像が予め格納されており、さらに、ユーザが作成した任意の画像データを背景画像として追加することができる。
【００３３】
メニュー情報記憶部３１は、メニュー画面を規定するメニュー情報を保持しており、メニュー画面が複数種類ある場合には、各メニュー画面ごとにメニュー情報を保持している。メニュー情報は、メニュー画面を構成する各選択肢に関する情報からなる。ここでは、上記選択肢ごとの機能、名称、表示位置及びアイコン画像が保持されているものとする。
【００３４】
図４は、図３のメニュー情報記憶部３１に保持されているメニュー情報の一例を示した図である。図示された各シートがメニュー情報７０〜７２に相当し、このシート内の各行が選択肢に相当する。各選択肢には、当該選択肢が選択された場合に実行される機能（プログラム）が対応づけられている。また、各選択肢ごとの名称（テキスト情報）が記憶されている。この名称は、アイコン画像にオーバーラップ合成（スーパーインポーズ）させて表示される。また、各選択肢について、メニュー画面内での表示位置が記憶されている。
【００３５】
さらに、各選択肢ごとに、２つのアイコン画像が対応づけられている。本実施の形態では、同じ選択肢であっても、フォーカスが当てられている場合と、当てられていない場合について、異なるアイコン画像を表示させて、フォーカスの有無を識別可能にしている。このため、同じ選択肢に対して、フォーカスが当てられている選択アイコンとして表示される場合のアイコン画像と、フォーカスが当てられていない非選択アイコンとして表示される場合のアイコン画像の２つがリンクされている。
【００３６】
なお、これらのメニュー情報７０〜７２は、ユーザ操作によって変更することができる。このため、上述した各選択肢のメニュー画面内での位置や、アイコン画像へのリンク情報などはカスタマイズすることができる。また、カメラ撮影されたアイコン画像は、メニュー情報７０〜７２内のアイコン画像へのリンク情報を書き換えることによって、メニュー画面に表示させることができる。
【００３７】
撮影処理部４０は、撮影モード中、内蔵カメラ１３から出力される撮影画像に基づいて、ファインダー画面を生成し、画面データとして表示制御部２２へ出力している。また、撮影モード中にシャッター操作があれば、保存確認画面を生成し、画面データとして表示制御部２２へ出力する。そして、ユーザが確認操作を行えば、撮影画像を不揮発性メモリ３０に格納する。この撮影処理部４０は、さらに画像トリミング部４１、ファインダー画面生成部４２及び画像書込部４３からなる。
【００３８】
画像トリミング部４１は、内蔵カメラ１３からの撮影画像に対し、ユーザが指定した撮影目的に応じたピクセルサイズへのトリミング（切り出し）を行って、トリミング画像を生成している。つまり、撮影目的に応じて画像データのサイズ調整を行っている。例えば、アイコン画像の撮影時には、予め定められたアイコン画像のピクセルサイズへのトリミングが行われ、背景画像の撮影時には、予め定められた背景画像のピクセルサイズへのトリミングが行われる。なお、撮影画像と同一サイズのフルサイズ画像の撮影時には、画像トリミング部４１においてトリミングは行われず、撮影画像がそのままトリミング画像となる。
【００３９】
ファインダー画面生成部４２は、トリミング画像に基づいてファインダー画面を生成している。アイコン画像の撮影時には、トリミング画像を引き伸ばして、縦及び横のピクセル数がいずれもトリミング画像の整数倍であり、かつ、ファインダー画面からはみ出さないサイズの引伸トリミング画像が生成され、この引伸トリミング画像を含むファインダー画面が生成される。なお、ファインダー画面よりも大きくなるフルサイズ画像などの撮影時には、トリミング画像を縮小した縮小トリミング画像を含むファインダー画面が生成される。なお、ここでは、ファインダー画面のサイズは、ディスプレイ１１の表示サイズと同一であるものとする。
【００４０】
図５は、アイコン画像の撮影時におけるファインダー画面の生成処理の一例を示した説明図である。図中の（ａ）〜（ｄ）には、撮影画像、トリミング画像、引伸トリミング画像、ファインダー画面がそれぞれ示されている。一般に、携帯電話機のディスプレイ１１で表示可能なピクセルサイズは、内蔵カメラ１３の撮影画像のピクセルサイズよりも遙かに小さく、また、アイコン画像のピクセルサイズは、ディスプレイ１１のピクセルサイズよりも更に小さくなる。ここでは、撮影画像のサイズが１２２４×１６３２ピクセル（２メガピクセル）、ファインダー画面のサイズが２４０×３２０ピクセル、アイコン画像のサイズが７６×７６ピクセルであるものとして説明する。
【００４１】
アイコン画像の撮影時、画像トリミング部４１において、撮影画像の中央に位置する７６×７６ピクセルの画像が、トリミング画像として切り出される。ファインダー画面生成部４２は、このトリミング画像の縦横のピクセル数をともに２倍に引き伸ばし、１５２×１５２ピクセルの引伸トリミング画像を生成し、この引伸トリミング画像を中央に配置したファインダー画面が生成している。このファインダー画面が、ディスプレイ１１に表示される。
【００４２】
つまり、ユーザは、撮影で得られるアイコン画像と同じ情報量の画像データを見ながら、シャッター操作を行うことができる。このため、アイコン画像として後で表示してみれば、ファインダー画面で見た画像とは印象が大きく異なり、シャッターチャンスを逃してしまったということがなくなる。特に、大きなピクセルサイズの画像データとして撮影を行った後、画像編集アプリケーション上でピクセル数を削減してアイコン画像のピクセルサイズに縮小しようとした場合に、細かな画像情報が消失し、思いがけないアイコン画像になってしまうという問題がなくなる。
【００４３】
次に、シャッター操作時の処理について説明する。シャッター操作可能な撮影モード中は、上述したファインダー画面がディスプレイ１１に表示されている。この状態でユーザがシャッター操作を行った場合、ファインダー画面生成部４２が、シャッター操作時のトリミング画像を保持し、この画像を不揮発性メモリ３０に保存するための確認操作をユーザに促す保存確認画面を生成し、画面データとして表示制御部２２へ出力する。この状態で、ユーザが確認操作を行えば、画像書込部４３が、シャッター操作時のトリミング画像を不揮発性メモリ３０に保存する。アイコン画像の撮影時であれば、アイコン画像記憶部３２に格納し、背景画像の撮影時であれば、背景画像記憶部３３に格納する。
【００４４】
アイコン画像以外の撮影時における保存確認画面には、シャッター操作時における撮影画像に対し、ファインダー画面の場合と同じ処理を経て生成された画像が表示される。例えば、フルサイズ画像であれば、縮小された撮影画像が表示される。これに対し、アイコン画像の撮影時における保存確認画面には、ファインダー画面の場合の引伸トリミング画像に代えて、トリミング画像が表示される。つまり、シャッター操作時における撮影画像に対し、トリミング処理は行っているが、引き伸し処理は行っていない画像が表示される。
【００４５】
図６は、アイコン画像の撮影時におけるファインダー画面及び保存確認画面の一例を示した説明図である。図中の（ａ）に示したファインダー画面では、引伸トリミング画像が表示されているため、撮影可能なアイコン画像をピクセル単位で正確に確認することができ、しかも、引き伸されているため見やすい。
【００４６】
一方、（ｂ）に示した保存確認画面では、トリミング画像が表示され、アイコン画像として表示される場合と全く同じ条件で表示が行われる。このため、ユーザは、撮影されたアイコン画像をディスプレイ上に実際に表示させた状態についても、保存確認画面で確認した上で、保存するか否かを決定することができる。また、撮影処理部４０において、撮影時に、アイコン画像のピクセルサイズへのトリミング処理が完了しているため、その後に、画像編集アプリケーションを起動し、サイズ調整のための煩雑な作業を行わなくても、そのままアイコン画像として使用することができできる。
【００４７】
次に、図３のメニュー処理部５０について説明する。メニュー処理部５０は、メニュー表示モード中、選択肢として２以上のアイコン画像が含まれるメニュー画面を生成している。このメニュー処理部５０は、さらにフォーカス制御部５１及びメニュー画面生成部５２からなる。
【００４８】
フォーカス制御部５１は、メニュー画面内でのフォーカスの移動制御を行っている。メニュー画面内では、常に、いずれか一つの選択肢にフォーカスが当てられており、フォーカス制御部５１が、方向キーの操作信号に基づいて、選択肢間で上記フォーカスを移動させるとともに、フォーカスが当てられている選択肢をメニュー画面生成部５２へ出力している。
【００４９】
メニュー画面生成部５２は、メニュー情報記憶部３１、アイコン画像記憶部３２及び背景画像記憶部３３に基づいて、メニュー画面を生成し、画面データとして表示制御部２２へ出力している。このメニュー画面上では、フォーカスが当てられている選択肢については、選択アイコン画像が表示され、他の選択肢については非選択アイコン画像が表示されている。また、これらの選択アイコン画像及び非選択アイコン画像は、いずれも選択肢の名前をオーバーラップ合成（スーパーインポーズ）させて表示される。また、メニュー画面内のアイコンが表示されない領域には、背景画像が表示される。
【００５０】
図７は、メニュー画面の一例を示した図である。このメニュー画面は、９個のアイコン画像が整列表示されている。図中の（ａ）では、中段の向かって左手の選択肢にフォーカスが当てられており、この選択肢についてのみ選択アイコンが表示され、他の選択肢については非選択アイコンが表示されている。（ｂ）は、（ａ）の状態で、ユーザが右方向キーを操作したときのメニュー画面である。フォーカスは、中段の中央の選択肢に移動している。つまり、この選択肢についてのみ選択アイコンが表示され、他の選択肢については非選択アイコンが表示されている。
【００５１】
図８のステップＳ１０１〜Ｓ１１０は、アイコン画像の撮影処理の一例を示したフローチャートである。アイコン画像の撮影モードに入ると、まず、主制御部２０からのモニター撮影信号に基づいて、内蔵カメラ１３がモニター撮影を行い、撮影画像を出力する（ステップＳ１０１）。この撮影画像は、画像トリミング部４１においてトリミングされ、アイコン画像のピクセルサイズからなるトリミング画像となる（ステップＳ１０２）。このトリミング画像は、ファインダー画面生成部４２において、縦横のピクセル数が整数倍に引き伸された後、この引伸トリミング画像を含むファインダー画面が生成され、ディスプレイ１１に表示される（ステップＳ１０３，Ｓ１０４）。上記ステップＳ１０１〜Ｓ１０４は、ユーザがシャッターキーを操作するまで、周期的に繰り返される（ステップＳ１０５）。
【００５２】
シャッター操作が行われた場合、主制御部２０からの撮影信号に基づいて、内蔵カメラ１３が撮影を行い、撮影画像を出力する（ステップＳ１０６）。この撮影画像は、画像トリミング部４１においてアイコン画像のピクセルサイズにトリミングされた後、ファインダー画面生成部４２において、このトリミング画像を含む保存確認画面が生成され、ディスプレイ１１に表示される（ステップＳ１０７，Ｓ１０８）。
【００５３】
その後、ユーザが確認操作を行えば、保存確認画面に表示されていた上記トリミング画像が、アイコン画像としてアイコン画像記憶部３２に書き込まれる（ステップＳ１１０）。一方、キャンセル操作を行った場合などのように、ユーザがデータ保存に同意しなかった場合には、上記トリミング画像を破棄して処理を終了する。
【００５４】
本実施の形態によれば、内蔵カメラ１３の撮影画像をアイコン画像として利用可能なカメラ付携帯電話機において、アイコン画像を撮影する際、画像トリミング部４１が、撮影画像をトリミングし、アイコン画像のピクセルサイズからなるトリミング画像に変換している。このため、ピクセルサイズを調整するために、撮影後に画像編集アプリケーション上で煩雑な操作をユーザが行う必要がない。このため、画像処理についての知識のないユーザでも簡単にオリジナルのアイコン画像を作成することができる。
【００５５】
また、本実施の形態によれば、アイコン画像の撮影モードにおいて、上記トリミング画像に基づいてファインダー画面を生成している。このため、ファインダー画面上の表示画像と、撮影によって得られるアイコン画像とを一致させることができる。つまり、ファインダー画面では識別可能であった細かな描写が、撮影によって得られたアイコン画像からは消失しているような不具合が生じることがない。従って、ユーザは、思い通りのアイコン画像を生成することができる。
【００５６】
また、本実施の形態によれば、アイコン画像の撮影モードにおいて、トリミング画像のピクセルサイズを整数倍に引き伸ばし、この引伸トリミング画像に基づいてファインダー画面を生成している。このため、ファインダー画面上の表示画像と、撮影によって得られるアイコン画像との情報量を一致させつつ、ファインダー画面を見やすくすることができる。特に、シャッター操作を行う場合、ユーザの目からディスプレイ１１までの距離は、その他の場合よりも遠くなる傾向になる。このため、情報量を変化させずに、引き伸ばされた画像をファインダー画面上に表示することにより、ユーザは思い通りのアイコン画像を撮影することができるようになる。
【００５７】
また、本実施の形態によれば、シャッター操作後に、撮影されたアイコン画像をアイコン画像記憶部３２に格納する際、保存確認画面上にトリミング画像が表示され、ユーザは、アイコン画像として表示される場合と全く同じ条件で、上記トリミング画像を見ることができる。このため、ユーザは、撮影されたアイコン画像（つまり、トリミング画像）をディスプレイ上に実際に表示させた状態についても、保存確認画面で確認した上で、保存するか否かを決定することができる。
【００５８】
なお、ファインダー画面生成部４２がトリミング画像を引き伸ばす際の倍率は、上述した通り、整数倍であることが望ましいが、本発明は、この様な場合に限定されない。すなわち、撮影画像を一旦、アイコン画像のピクセルサイズにトリミングした後に引き伸ばしを行えば、引き伸ばし倍率が非整数倍（例えば２．５倍）であっても、ユーザにとって、撮影によりえられるアイコン画像と同一視できる画像をファインダー画面に表示させることができる。
【００５９】
実施の形態２．
実施の形態１では、選択アイコン及び非選択アイコンとして、各選択肢に２つのアイコン画像をリンクさせて、メニュー画面を表示する携帯電話機の例について説明した。これに対し、本実施の形態では、各選択肢に１つのアイコン画像をリンクさせ、フォーカスが当てられた場合には、当該アイコン画像にフォーカス画像を合成して表示する携帯電話機の場合について説明する。
【００６０】
図９は、本発明の実施の形態２による携帯電話機の要部について一構成例を示したブロック図であり、図２（実施の形態１）の主制御部２０の他の構成例が示されている。図３（実施の形態１）の場合と比較すれば、選択アイコン画像記憶部６１からなる揮発性メモリ６０を備えている点で異なる。また、不揮発性メモリ３０にフォーカス画像記憶部３４が含まれ、撮影処理部４０に選択アイコン化処理部４４が含まれ、メニュー処理部５０に選択アイコン生成部５３が含まれている点でも異なる。
【００６１】
図１０は、図９のメニュー情報記憶部３１に保持されているメニュー情報の一例を示した図である。図示された各シートがメニュー情報８０〜８２に相当し、各シート内の各行が選択肢に相当する。本実施の形態では、各選択肢に１つのアイコン画像のみがリンクされている点で、実施の形態１のメニュー情報７０〜７２とは異なっている。本実施の形態では、メニュー情報８０〜８２において、各選択肢にリンクされているアイコン画像は、非選択アイコン画像として使用される。すなわち、フォーカスが当たっていない選択肢の場合、当該アイコン画像がメニュー画面内に表示される。
【００６２】
選択アイコン生成部５３は、選択アイコン画像を生成している。選択アイコン画像は、非選択アイコン画像にフォーカス画像を合成することによって生成される。すなわち、フォーカスが当たっている選択アイコン画像は、非選択アイコン画像を加工することによって、メニュー処理部５０内で生成される。
【００６３】
フォーカス画像記憶部３４は、不揮発性メモリ３０に含まれ、フォーカス画像を保持している。本実施の形態によるフォーカス画像は静止画からなる。このフォーカス画像記憶部３４には、複数のフォーカス画像が保持されており、各メニュー画面において使用されるフォーカス画像は、メニュー情報において規定されている。このため、ユーザがフォーカス画像を変更することもできる。さらに、フォーカス画像として、ユーザが提供する任意の画像データを利用することもできる。
【００６４】
図１１は、選択アイコン生成部５３における処理の一例を示した説明図である。非選択アイコンとして使用されるアイコン画像は、アイコン画像記憶部３２から読み出され、フォーカス画像は、フォーカス画像記憶部３４から読み出される。図中のフォーカス画像は、アイコン画像と同一のピクセルサイズの静止画であり、透明な中央部を囲む枠型形状からなる。選択アイコン生成部５３は、このフォーカス画像を前景とし、アイコン画像を背景として合成して、選択アイコン画像を生成している。この様にして生成された選択アイコン画像は、揮発性メモリ６０内の選択アイコン画像記憶部６１に格納され、メニュー画面生成部５２により、メニュー画面の生成に使用される。
【００６５】
選択アイコン化処理部４４は、内蔵カメラ１３によりモニター撮影され、画像トリミング部４１においてトリミングされたトリミング画像に対し、選択アイコン生成部５３と同様の処理を行っている。すなわち、トリミング画像にフォーカス画像を合成し、当該トリミング画像を非選択アイコン画像とした場合における選択アイコン画像を生成している。ファインダー画面生成部４２は、この選択アイコン化されたトリミング画像を引き伸ばして、ファインダー画面を生成している。
【００６６】
一方、シャッター操作後は、選択アイコン化処理部４４において選択アイコン化処理（合成処理）は行われず、保存確認画面には、保存されるアイコン画像（つまり、トリミング画像）が表示される。
【００６７】
図１２は、アイコン画像の撮影時におけるファインダー画面及び保存確認画面の一例を示した説明図である。図中の（ａ）に示したファインダー画面では、フォーカス画像を合成して表示されるため、フォーカス画像との相性を撮影時に確認することができる。例えば、枠型形状のフォーカス画像の色と、トリミング画像の色が似通っている場合には、選択アイコン画像と、非選択アイコン画像との差が見分けにくなる。このような問題を撮影時に回避することが可能になる。一方、（ｂ）に示した保存確認画面では、実施の形態１の場合と同様、フォーカス画像が合成されていないトリミング画像が表示される。
【００６８】
図１３のステップＳ２０１〜Ｓ２１１は、本発明の実施の形態２によるアイコン画像の撮影処理の一例を示したフローチャートである。図８（実施の形態１）と比較すれば、ステップＳ２０３が追加されている点のみが異なる。すなわち、モニター撮影された撮影画像のトリミング後に、フォーカス画像の合成が行われている（ステップＳ２０３）。
【００６９】
本実施の形態によれば、メニュー画面上でフォーカスが当てられている選択肢について、アイコン画像にフォーカス画像を合成した選択アイコン画像が表示される携帯電話機において、アイコン画像の撮影モード中、選択アイコン化処理部４４が、撮影画像のトリミング画像に対し、フォーカス画像を合成し、選択アイコン画像をファインダー画面に表示させている。このため、ユーザは、ファインダー画面を見て、フォーカス画像との相性等を確認しながら、アイコン画像の撮影を行うことができる。
【００７０】
実施の形態３．
実施の形態２では、フォーカス画像として静止画を採用した場合の例について説明した。これに対し、本実施の形態では、複数枚の静止画からなる動画をフォーカス画像として採用する場合について説明する。
【００７１】
本実施の形態では、フォーカス画像記憶部３４が、フォーカス画像として、４枚１組の静止画（フレーム画像）を保持している。つまり、フォーカス画像は、４フレームで構成される動画からなる。
【００７２】
選択アイコン生成部５３は、アイコン画像記憶部３２から読み出した静止画としてのアイコン画像に、フォーカス画像記憶部３４から読み出した動画としてのフォーカス画像を合成し、動画としての選択アイコン画像を生成している。すなわち、１つのアイコン画像に対し、フォーカス画像を構成する各フレーム画像をそれぞれ合成し、４枚の静止画を生成する。この様にして生成された４枚の静止画をフレーム画像とする動画が、本実施の形態における選択アイコン画像となり、選択アイコン画像記憶部６１に格納される。
【００７３】
選択アイコン画像が動画になることにより、選択アイコン画像が静止画である実施の形態２の場合と比べ、必要とされるメモリ資源が増大する。このため、各選択肢について選択アイコン画像を予め生成すれば、限りあるメモリ資源の有効活用を図ることができず、携帯電話機のコストアップにつながる。このため、選択アイコン生成部５３は、常時、フォーカスが当てられている１つの選択肢の選択アイコン画像のみを保持している。
【００７４】
メニュー画面生成部５２は、選択アイコン記憶部６１から４枚のフレーム画像を読み出し、メニュー画面上の同じ位置に順次に表示することにより、動画としての選択アイコンを表示している。この場合、フレーム画像は４枚しかないため、４コマの繰り返し動作となる。なお、フォーカス移動後の一定期間を、選択アイコンを動画として表示する動画表示期間とし、その後はフレーム画像のいずれか１枚を表示して、選択アイコンの動きを停止させてもよい。この場合、画面表示に伴う消費電流を抑制することができる。
【００７５】
図１４は、選択アイコン生成部５３における処理の一例を示した説明図である。図中のフォーカス画像を構成する各フレーム画像は、それぞれがアイコン画像と同一のピクセルサイズの静止画であり、透明な領域の一部に星の図形が描かれている。各フレーム画像は、互いに星の配置が異なっており、これらのフレーム画像を順次に表示することにより、星が動いているように見える。これらのフレーム画像を前景とし、同一のアイコン画像を背景として合成することにより、選択アイコン画像を構成する各フレーム画像が生成される。この様にして生成された各フレーム画像を順次に表示することにより、アイコン画像の前を星が動き回っている動画が表示される。
【００７６】
選択アイコン化処理部４４は、内蔵カメラ１３によりモニター撮影され、画像トリミング部４１においてトリミングされたトリミング画像に対し、選択アイコン生成部５３と同様の処理を行っている。すなわち、当該トリミング画像を非選択アイコン画像とした場合における選択アイコン画像を生成している。このとき、順次に入力されるトリミング画像に対し、順次にフレーム画像を合成することにより、ファインダー画面上には、動画としてのフォーカス画像が合成され、かつ、伸張されたトリミング画像を表示させることができる。
【００７７】
なお、選択アイコン化処理部４４における合成処理は、フォーカス画像を構成するいずれか１つのフレーム画像を用いて行ってもよい。すなわち、上記フレーム画像を静止画のフォーカス画像として用い、選択アイコン化処理部４４では実施の形態２の場合と全く同様の合成処理を行ってもよい。この場合、ユーザは、フォーカス移動後に動画表示期間を経過した場合の選択アイコン画像をファインダー画面上で見ることができる。
【００７８】
本実施の形態によれば、メニュー画面上でフォーカスが当てられている選択肢について、アイコン画像に動画のフォーカス画像を合成した選択アイコン画像が表示される携帯電話機において、アイコン画像の撮影モード中、ユーザは、ファインダー画面を見て、動画のフォーカス画像との相性等を確認しながら、アイコン画像の撮影を行うことができる。
【００７９】
なお、本実施の形態では、フォーカス画像が４枚のフレーム画像により構成される場合の例について説明したが、本発明はこのような場合に限定されない。すなわち、フォーカス画像は、２以上の任意枚数のフレーム画像により構成することができる。
【図面の簡単な説明】
【００８０】
【図１】本発明の実施の形態１による携帯通信端末の一例を示した外観図である。
【図２】図１の携帯電話機の内部構成例を示したブロック図である。
【図３】図２の主制御部２０の要部について一構成例を示したブロック図である。
【図４】図３のメニュー情報記憶部３１に保持されているメニュー情報の一例を示した図である。
【図５】アイコン画像の撮影時におけるファインダー画面の生成処理の一例を示した説明図である。
【図６】アイコン画像の撮影時におけるファインダー画面及び保存確認画面の一例を示した説明図である。
【図７】メニュー画面の一例を示した図である。
【図８】アイコン画像の撮影処理の一例を示したフローチャートである。
【図９】本発明の実施の形態２による携帯電話機の要部について一構成例を示したブロック図である。
【図１０】図９のメニュー情報記憶部３１に保持されているメニュー情報の一例を示した図である。
【図１１】選択アイコン生成部５３における処理の一例を示した説明図である。
【図１２】アイコン画像の撮影時におけるファインダー画面及び保存確認画面の一例を示した説明図である。
【図１３】本発明の実施の形態２によるアイコン画像の撮影処理の一例を示したフローチャートである。
【図１４】選択アイコン生成部５３における処理の一例を示した説明図である。
【符号の説明】
【００８１】
７０〜７２，８０〜８２  メニュー情報
１１  ディスプレイ
１２  操作キー
１３  内蔵カメラ
２０  主制御部
３０  不揮発性メモリ
３１  メニュー情報記憶部
３２  アイコン画像記憶部
３３  背景画像記憶部
３４  フォーカス画像記憶部
４０  撮影処理部
４１  画像トリミング部
４２  ファインダー画面生成部
４３  画像書込部
４４  選択アイコン化処理部
５０  メニュー処理部
５１  フォーカス制御部
５２  メニュー画面生成部
５３  選択アイコン生成部
６０  揮発性メモリ
６１  選択アイコン画像記憶部
【図１】
2006135407.tif 000003
【図２】
2006135407.tif 000004
【図３】
2006135407.tif 000005
【図４】
2006135407.tif 000006
【図５】
2006135407.tif 000007
【図６】
2006135407.tif 000008
【図７】
2006135407.tif 000009
【図８】
2006135407.tif 000010
【図９】
2006135407.tif 000011
【図１０】
2006135407.tif 000012
【図１１】
2006135407.tif 000013
【図１２】
2006135407.tif 000014
【図１３】
2006135407.tif 000015
【図１４】
2006135407.tif 000016